(57)【特許請求の範囲】
【請求項１】
加圧オイル供給源から供給される前記加圧オイルを外部に供給するためのオイルジェット装置において、
内部に所定方向に伸びる略円柱状の空間を形成する側壁を有する弁胴と、
前記弁胴の前記空間に前記所定方向へ移動可能に収容され、前記所定方向への移動によって、前記オイル供給源から前記外部への前記加圧オイルの供給を調整する弁部材とを有し、
前記弁胴は、
前記所定方向の一端側に設けられ、前記加圧オイル供給源から前記空間内に加圧オイルが供給される供給孔が形成された供給孔部と、
前記所定方向の他端側近傍に設けられ、前記空間内から前記外部に前記加圧オイルを排出させる排出孔が形成された排出孔部とを有し、
前記弁部材は、
前記弁胴の前記側壁の内側面の少なくとも一部と接触して所定方向に案内される被案内部と、
所定の開弁位置で、前記弁部材の前記一端側から前記他端側へ前記加圧オイルを通過させる流路の少なくとも一部を構成する流路構成部とを有し、
前記弁部材は、前記一端側が平面で塞がれ、前記所定方向に伸びる略円筒状の円筒部材から外周部分の一部のみに前記所定方向に伸びる切り欠き部が設けられており、
更に、前記弁部材が前記所定方向に移動可能なように、前記弁部材の円筒部材の内側面に沿う形状を有し、前記円筒部材の内側の空間が、前記供給孔部の前記供給孔と連通しないようにする壁部を有する
オイルジェット装置。
【請求項２】
前記弁部材の前記円筒部材の内側の空間は、外部に解放されている
請求項１に記載のオイルジェット装置。
【請求項３】
前記弁部材の前記円筒部材の内側の空間に、前記弁部材を前記供給孔に付勢するための付勢部が設けられている
請求項１又は請求項２に記載のオイルジェット装置。
【請求項４】
前記付勢部を支持する台座部が前記壁部となっている
請求項３に記載のオイルジェット装置。
【発明の詳細な説明】
【技術分野】
【０００１】
本発明は、加圧オイル供給源から供給される加圧オイルを外部に供給するためのオイルジェット装置に関する。
【背景技術】
【０００２】
近年、ガゾリンエンジンや、ディーゼルエンジンの高出力、高性能化が行われており、エンジンのピストンに発生する熱を冷却することが重要となってきている。
【０００３】
このために、例えば、ピストンの裏側を冷却するために、オイルジェット装置が使用されている。オイルジェット装置は、加圧されたオイル（加圧オイル）をピストンの裏側に対して供給することにより、ピストンを冷却することができる。
【０００４】
一方、ピストンには、オイルによる冷却効果を向上するために、その裏側にオイルを一時的に格納することのできる冷却チャネルが設けられたものがある。
【０００５】
このようなピストンに対してオイルを供給するオイルジェット装置においては、冷却チャネルの入口により高精度にオイルを供給（噴出）することが要求されている。
【０００６】
このようなオイルジェット装置においては、所定の圧力以上の加圧オイルが供給されていない場合には、オイルを供給しないようにするために、弁が設けられている。弁としては、ボールを弁体として用いているボール弁や、プランジャを弁体として用いるプランジャ弁が知られている。
【０００７】
ボール弁を用いたオイルジェット装置においては、加圧オイルがボールを押すことによって、加圧オイルがオイルジェット装置内部に流入し、オイルをピストンに供給することとなる。この場合には、ボールが横方向に揺動することによって加圧オイルに乱流が発生しやすく、その結果、オイルを安定してピストンに供給することができず、冷却チャネルの入口に捕集される確率（捕集率）を向上することができない。
【０００８】
このような問題に対して、ボール弁を用いたオイルジェット装置において、弁体の揺動を防止する技術が知られている（例えば、特許文献１）。
【０００９】
一方、プランジャ弁を用いたオイルジェット装置においては、一般には、プランジャが移動した際に、ピストンへオイルを供給することができるようにするために、オイルが流入される流入孔の近傍にピストンへオイルを供給するための横方向にまっすぐ伸びる横孔が設けられる。
【００１０】
このプランジャ弁においては、プランジャを流入孔に付勢しておくための弾性部材を設けておく必要がある。このため、オイルジェット装置は、プランジャの下側に弾性部材を格納しておく部分を備えておく必要がある。このため、オイルジェット装置の横孔よりも下の部分の長さが長くなってしまい、装置サイズが大きくなり、コスト高を招く。また、オイルジェット装置は、エンジンブロックに取り付けられるので、このように横孔よりも下の部分が長いと、エンジンブロック外に出ている部分が長くなってしまい、エンジンの組込みに悪影響を及ぼすおそれがある。
【００１１】
【特許文献１】特表２００７−５０５２８１号公報
【発明の開示】
【発明が解決しようとする課題】
【００１２】
上記した特許文献１に記載された技術をプランジャ弁に適用すると、ピストンへオイルを供給する孔をオイルジェット装置の下方に設けることができる。
【００１３】
しかしながら、特許文献１に記載された技術によると、弁胴の形状が複雑であるので、弁胴を構成するための金型の作成が困難であるとともにコストがかかるという問題がある。
【００１４】
本発明は、上記課題に鑑みなされたものであり、その目的は、プランジャ弁を用いたオイルジェット装置において、オイルを排出するための排出孔をオイルの供給孔から離れた位置に容易且つ適切に備えることのできる技術を提供することにある。
【課題を解決するための手段】
【００１５】
上記目的達成のため、本発明の一観点に係るオイルジェット装置は、加圧オイル供給源から供給される前記加圧オイルを外部に供給するためのオイルジェット装置において、内部に所定方向に伸びる略円柱状の空間を形成する側壁を有する弁胴と、弁胴の空間に所定方向へ移動可能に収容され、所定方向への移動によって、オイル供給源から外部への加圧オイルの供給を調整する弁部材とを有し、弁胴は、所定方向の一端側に設けられ、加圧オイル供給源から空間内に加圧オイルが供給される供給孔が形成された供給孔部と、所定方向の他端側近傍に設けられ、空間内から外部に加圧オイルを排出させる排出孔が形成された排出孔部とを有し、弁部材は、弁胴の側壁の内側面の少なくとも一部と接触して所定方向に案内される被案内部と、  所定の開弁位置で、前記弁部材の前記一端側から前記他端側へ前記加圧オイルを通過させる流路の少なくとも一部を構成する流路構成部とを有する。
【００１６】
係るオイルジェット装置によると、弁部材が開弁位置にある際に、供給孔から供給された加圧オイルを弁部材の流路構成部により構成されている空間内の流路を通って排出孔へ流すことができる。したがって、排出孔を供給孔から離れた位置に備えることができる。このため、オイルジェット装置における装置サイズを小さくすることもできる。また、弁胴には、内部が所定方向に伸びる略円柱状の空間を形成すればよいので、容易に製作することができる。
【００１７】
上記オイルジェット装置において、弁部材の外側面は、弁胴の側壁の内側面に沿う曲面からなる第１部分と、側壁の内側面に沿わない面からなる第２部分とを有し、第１部分により被案内部が構成され、第２部分により流路構成部が構成され、第２部分と弁胴の側壁の内側面との間の空間により流路が構成されるようにしてもよい。
【００１８】
係るオイルジェット装置によると、第１部分によって、弁部材を側壁に沿って適切に案内することができると共に、供給孔から供給された加圧オイルを、第２部分と弁胴の側壁の内側面との間の流路を通して排出孔に流すことができる。
【００１９】
また、上記オイルジェット装置において、第１部分は、弁胴の側壁の内側面に沿う複数の曲面からなるようにしてもよい。係るオイルジェット装置によると、複数の曲面によって側壁を沿って動くので、弁部材を側壁に沿って適切に案内することができる。
【００２０】
また、上記オイルジェット装置において、複数の曲面は、それぞれが同一の中心角を隔てられている同一の形状の曲面であってもよい。係るオイルジェット装置によると、弁部材を、側壁の内側の空間に適切に位置させて案内することができる。
【００２１】
また、上記オイルジェット装置において、第２部分は、平面からなるようにしてもよい。係るオイルジェット装置によると、簡易な構成であるので、弁部材の製作を容易に行うことができる。例えば、弁部材をダイカストにより構成することもできるし、円筒状の部材から削り出して製作することもできる。
【００２２】
また、上記オイルジェット装置において、第１部分は、同一の形状の３つの曲面によって構成され、第２部分は、同一形状の３つの平面により構成されてもよい。係るオイルジェット装置によると、簡易な構成であるので、弁部材の製作を容易に行うことができる。
【００２３】
また、上記オイルジェット装置において、弁部材は、一端側に向く平面部と、側壁の内側面に内接する略円筒状の円筒部とを有し、弁部材の平面部は、一端側から他端側に貫通する貫通穴が形成された貫通孔部を有し、円筒部により案内部が構成され、貫通孔部により流路構成部が構成され、貫通孔が前記流路となるようにしてもよい。
【００２４】
係るオイルジェット装置によると、円筒部によって、弁部材を側壁に沿って適切に案内することができると共に、供給孔から供給された加圧オイルを弁部材の貫通孔を通して排出孔に流すことができる。
【００２５】
また、上記オイルジェット装置において、排出孔部に接続され、加圧オイルを外部の所定の目標位置に供給するためのノズルを更に有するようにしてもよい。
【００２６】
係るオイルジェット装置によると、ノズルにより外部の所定の目標位置に加圧オイルを適切に供給することができる。
【００２７】
また、上記オイルジェット装置において、排出孔は、弁胴の他端側近傍の側壁に、排出孔の中心軸が弁胴の空間の中心軸と距離を隔てて形成され、排出孔が側壁の内側面上に位置するようにしてもよい。
【００２８】
係るオイルジェット装置によると、排出孔の弁胴の内部空間への開口面積を大きくとることができ、加圧オイルへの乱流の発生を適切に防止することができる。また、このため、例えば、ノズルによる目標位置への供給の精度を向上させることができる。
【００２９】
また、上記オイルジェット装置において、所定方向に垂直な面での壁の内側面の断面円に対する接線と略一致するように、前記排出孔が伸びて形成されていてもよい。
【００３０】
係るオイルジェット装置によると、排出孔の弁胴の内部空間への開口面積をより大きくとることができ、加圧オイルへの乱流の発生をより効果的に防止することができる。また、このため、例えば、ノズルによる目標位置への供給の精度をより向上させることができる。
【００３１】
また、上記オイルジェット装置において、弁胴の側壁と、供給孔部とは、一体成形され、弁胴の側壁は、他端側が略円柱状の空間を開放された形状をしており、弁部材を供給孔に付勢するための付勢部と、付勢部を支持するための台座部とを更に有し、台座部は、弁胴の側壁の他端側に装着されていてもよい。
【００３２】
係るオイルジェット装置によると、エンジンブロックに装着される供給孔側においては、弁部材等を組み込む際による変形等が発生しないために、エンジンブロックに容易に装着することができる。
【００３３】
また、上記目的達成のため、本発明の他の観点に係るオイルジェット装置は、加圧オイル供給源から供給される前記加圧オイルを外部に供給するためのオイルジェット装置において、内部に所定方向に伸びる空間を形成する側壁を有する弁胴と、弁胴の空間に所定方向へ移動可能に収容され、所定方向への移動によって、オイル供給源から外部への前記加圧オイルの供給を調整する弁部材とを有し、弁胴は、所定方向の一端側に設けられ、加圧オイル供給源から空間内に加圧オイルが供給される供給孔が形成された供給孔部と、所定方向の他端側近傍に設けられ、空間内から外部に加圧オイルを排出させる排出孔が形成された排出孔部とを有し、弁部材は、一端側が平面で塞がれ、所定方向に伸びる略円筒状の円筒部材から外周部分の一部のみに前記所定方向に伸びる切り欠き部が設けられており、切り欠き部は、弁部材が所定の開弁位置で、弁部材の一端側から他端側へ加圧オイルを通過させる流路の少なくとも一部を構成する。
【００３４】
係るオイルジェット装置によると、弁部材が開弁位置にある際に、供給孔から供給された加圧オイルを切り欠き部により構成されている空間内の流路を通って排出孔へ流すことができる。したがって、排出孔を供給孔から離れた位置に備えることができる。
【００３５】
また、上記目的達成のため、本発明の更に他の観点に係るオイルジェット装置は、加圧オイル供給源から供給される前記加圧オイルを外部に供給するためのオイルジェット装置において、内部に所定方向に伸びる空間を形成する側壁を有する弁胴と、弁胴の空間に所定方向へ移動可能に収容され、所定方向への移動によって、オイル供給源から外部への加圧オイルの供給を調整する弁部材とを有し、弁胴は、所定方向の一端側に設けられ、加圧オイル供給源から空間内に加圧オイルが供給される供給孔が形成された供給孔部と、所定方向の他端側近傍に設けられ、空間内から外部に加圧オイルを排出させる排出孔が形成された排出孔部とを有し、弁部材は、一端側に向く平面部と、所定方向に伸びる円筒部とを有し、弁部材の平面部は、一端側から他端側に貫通する貫通穴が形成された貫通孔部を有し、弁部材が所定の開弁位置で、貫通孔部は、弁部材の一端側から他端側へ加圧オイルを通過させる流路の少なくとも一部を構成する。
【００３６】
係るオイルジェット装置によると、弁部材が開弁位置にある際に、供給孔から供給された加圧オイルを貫通穴部の貫通孔を通って排出孔へ流すことができる。したがって、排出孔を供給孔から離れた位置に備えることができる。
【発明を実施するための最良の形態】
【００３７】
本発明の実施形態について、図面を参照して説明する。なお、以下に説明する実施形態は特許請求の範囲にかかる発明を限定するものではなく、また実施形態の中で説明されている諸要素及びその組み合わせの全てが発明の解決手段に必須であるとは限らない。
【００３８】
まず、本発明の一実施形態に係るオイルジェット装置について説明する。
【００３９】
図１は、本発明の一実施形態に係るオイルジェット装置の一部断面構成図である。
【００４０】
オイルジェット装置１は、弁胴２と、取付部１１とを有する。取付部１１には、図示しないエンジンブロックにオイルジェット装置１を装着するためのボルトを通す取付孔１１ａが形成されている。
【００４１】
弁胴２は、内部に略円柱状の空間Ｃが形成され、空間Ｃが図面下方に開放された形状の側壁３と、加圧オイル供給源からの加圧オイルが供給される供給孔４ａが形成されている供給孔部４と、加圧オイルを外部に排出する排出孔５ａが形成された排出孔部５とを有する。本実施形態では、例えば、側壁部３、供給孔部４、排出孔部５、及び取付部６とがダイカストにより一体成形されている。本実施形態では、側壁３が、略円柱状の空間Ｃが図面下方に開放された形状であるので、ダイカスト時に必要な金型を容易且つ低コストで作成することができる。
【００４２】
排出孔部５には、外部の目標位置、例えば、ピストンの裏側の冷却チャネル入口に加圧オイルを供給（噴出）させるためのノズル１０が接続される。
【００４３】
弁胴２の空間Ｃには、弁部材の一例としてのプランジャ７が収容される。プランジャ７は、台座部９の凸部９ａに支持されている付勢部の一例のばね８により図面上方の供給孔４ａを塞ぐように付勢されている。ここで、本実施形態では、弁胴２の下方端には、台座部９をはめ込むための段差が形成されたはめ込み部６が備えられている。そして、弁胴２にプランジャ７を収容する際には、台座部９にばね８を支持させ、そのばね８をプランジャ７の下方側から挿入した後に、弁胴２の空間Ｃに対して図面下方からこれらを押し込めて、台座部９が弁胴２のはめ込み部６にはめ込まれるようにし、その後、弁胴２の周囲をかしめて、台座部９を弁胴２に固定するようにしている。
【００４４】
このような構成により、加圧オイル供給源からの加圧オイルが所定の圧力以下であれば、プランジャ７は、ばね８による付勢により供給孔４ａを塞ぐ位置（閉弁位置）に位置し、加圧オイルが所定の圧力を超えれば、ばね８による付勢が加圧オイルの圧力に屈することとなり、プランジャ７は、図面下方の位置（開弁位置）に移動することとなる。
【００４５】
図２は、本発明の一実施形態に係るオイルジェット装置におけるプランジャの組み込み状態及び排出孔の状態を示す図である。同図は、オイルジェット装置１の下面図であり、プランジャ７の説明上、オイルジェット装置１の一部の構成については、取り除いている。
【００４６】
側壁３の内側面３ａは、弁胴２のはめ込み部６の内側面６ａより内側に位置する。
【００４７】
プランジャ７は、側壁３の内側面３ａ内に収容されており、軸Ｘ方向に伸びる略円筒状の円筒部材から外周部分の一部のみに軸Ｘ方向に伸びる切り欠きが設けられた形状となっており、具体的には、供給孔４ａ側に設けられた平面部７ａと、軸Ｘに沿って伸びる筒状の壁部７ｂとを有する。壁部７ｂは、側壁３の内側面３ａの曲面と沿う３つの曲面からなる曲面部分（第１部分：被案内部）７ｃと、各曲面を結ぶ軸Ｘ方向に伸びる３つの平面からなる平面部分（第２部分：流路構成部：切り欠き部）７ｄとを有する。本実施形態では、各曲面の形状は同一であり、各平面の形状も同一であり、各平面の中心は、等間隔（内側面３ａの中心角で１２０度）ずつずれて配置されている。また、プランジャ７の平面部７ａは、供給孔４ａの範囲４ｂを完全に覆うことができるようになっている。
【００４８】
このような構成により、プランジャ７が閉弁位置に位置する場合には、プランジャ７の平面部７ａにより供給孔４ａが完全に塞がれることとなる。一方、プランジャ７が開弁位置に位置する場合には、プランジャ７の外側の空間、すなわち、平面部分７ｂと側壁３の内側面３ａとの間の空間１２が、供給孔４ａから供給された加圧オイルを排出孔５ａへと流すことのできる流路となる。
【００４９】
排出孔部５は、排出孔５ａの中心軸Ｙが側壁３の内部の空間の中心軸Ｘと距離が隔てられるように形成され、排出孔５ａは、側壁３の面上に形成されている。これによって、弁胴２の空間側に対する排出孔５ａの面積を、排出孔の中心軸Ｙが中心軸Ｘに向いている場合における弁胴２の空間側に対する排出孔の面積より大きくすることができる。このように、空間に対する排出孔５ａの面積を大きくすることができるので、排出孔５ａに加圧オイルが流れやすくなり、加圧オイルへの乱流の発生を低減することができる。
【００５０】
このようなオイルジェット装置１では、加圧オイル供給源から供給される加圧オイルが所定の圧力以下の場合には、プランジャ７は、ばね８による付勢により供給孔４ａを塞ぐ閉弁位置に位置し、ノズル１０から目標位置に加圧オイルが供給されることがない。一方、加圧オイル供給源から供給される加圧オイルが所定の圧力を超えた場合には、ばね８による付勢が加圧オイルの圧力に屈してプランジャ７が開弁位置に移動することとなり、加圧オイルが供給孔４ａから側壁３の内部に流入し、プランジャ７の平面部分７ｂと側壁３との間の空間１２を通って、排出孔５ａへ進み、排出孔５ａからノズル１０を流れて、目標位置に加圧オイルが供給される。
【００５１】
この際、上述のように加圧オイルへの乱流の発生が低減されるので、ノズル１０から目標位置に加圧オイルが安定して供給される。この結果、目標位置における加圧オイルの捕集率が向上することとなる。
【００５２】
以上、本発明を実施形態に基づいて説明したが、本発明は上述した実施の形態に限られず、他の様々な態様に適用可能である。
【００５３】
例えば、上記実施形態に係るプランジャ７に代えて、次のようなプランジャを用いることもできる。
【００５４】
図３は、本発明の第１の変形例に係るプランジャをオイルジェット装置に組み込んだ際の一部分の下面図である。
【００５５】
第１の変形例に係るプランジャ２１は、側壁３の内側面３ａ内に収容されており、供給孔４ａ側に設けられた平面部２１ａと、軸Ｘに沿って伸びる筒状の壁部２１ｂとを有する。壁部２１ｂは、側壁３の内側面３ａの曲面と沿う５つの曲面からなる曲面部分（第１部分：被案内部）２１ｃと、壁部２１ｂの内部側に凸状の５つの曲面から切欠曲面部分（第２部分：流路構成部）２１ｄとを有する。本実施形態では、内側面３ａに沿う各曲面の形状は、同一であり、内部側に凸状の各曲面の形状は同一であり、内部側に各凸状の曲面の中心は、等間隔（内側面３ａの中心角で７２度）ずつずれた位置に配置されている。プランジャ７の平面部２１ａは、供給孔４ａの範囲４ｂを完全に覆うことができるようになっている。
【００５６】
このような構成により、プランジャ２１が閉弁位置に位置する場合には、プランジャの供給孔４ａ側の面により供給孔４ａが完全に塞がれることとなる。一方、プランジャ２１が開弁位置に位置する場合には、プランジャ２１の外側の空間、すなわち、切欠曲面部分２１ｄと側壁３の内側面３ａとの間の空間２２が加圧オイルの流路となり、供給孔４ａから供給された加圧オイルを排出孔５ａへと流すこととなる。
【００５７】
また、上記実施形態では、プランジャ７、２１の外側と、側壁３の内側面３aとの間の空間が、供給孔４ａから供給された加圧オイルを排出孔５ａへと流すことのできる流路となっていたが、本発明はこれに限られず、次のようなプランジャを用いることができる。
【００５８】
図４は、本発明の第２の変形例に係るプランジャをオイルジェット装置に組み込んだ際の一部分の下面図である。
【００５９】
第２変形例に係るプランジャ３１は、側壁３の内側面３ａ内に収容されており、供給孔４ａ側に設けられた平面部３１ａと、軸Ｘに沿って伸びる略円筒状の壁部３１ｂとを有する。平面部３１ａには、一端側から他端側に貫通する貫通穴３２ａが形成された貫通孔部３２を有する。各貫通孔３２ａの大きさは、同一であり、各貫通孔３２ａの中心は、等間隔（内側面３ａの中心角で７２度）ずつずれた位置となっている。貫通孔ａは、供給孔４ａの範囲４ｂの外側に配置されているので、平面部３１ａは、供給孔４ａの範囲４ｂを完全に覆うことができるようになっている。
【００６０】
このような構成により、プランジャ３１が閉弁位置に位置する場合には、プランジャ３１の供給孔４ａ側の面により供給孔４ａが完全に塞がれることとなる。一方、プランジャ３１が開弁位置に位置する場合には、プランジャ３１の貫通孔３２ａが、加圧オイルの流路となり、供給孔４ａから供給された加圧オイルを排出孔５ａへと流すこととなる。
【００６１】
また、上記実施形態に限らず、次のようなプランジャを用いることができる。
【００６２】
図５は、本発明の第３の変形例に係るプランジャを説明する図であり、オイルジェット装置に組み込んだ際の一部分の下面図と、プランジャの一部断面側面図である。
【００６３】
プランジャ４１は、側壁３の内側面３ａ内に収容されており、供給孔４ａ側に設けられた平面部４２ａと、軸Ｘに沿って伸びる複数（例えば、３つ）の壁部（第１部分：被案内部）４３とを有する。各壁部４３の外側面は、側壁３の内側面３ａの曲面と沿う曲面となっている。
【００６４】
平面部４２は、側壁３の内側面３に沿う複数（例えば、３つ）の円弧部分４２ａと、内側面３の複数（例えば、３つ）の弦に相当する弦部分４２ｂとを有する形状となっており、円弧部分４２ａに各壁部４３が設けられている。プランジャ４１の平面部４２は、供給孔４ａの範囲４ｂを完全に覆うことができるようになっている。
【００６５】
このような構成により、プランジャ４１が閉弁位置に位置する場合には、プランジャ４１の平面部４２により供給孔４ａが完全に塞がれることとなる。一方、プランジャ４１が開弁位置に位置する場合には、プランジャ４１の平面部４２の弦部分４２ｂと側壁３との間が加圧オイルの流路となり、供給孔４ａから供給された加圧オイルを排出孔５ａへと流すこととなる。この際、平面部４２の弦部分４２ｂを通過した加圧オイルは、壁部４３以外の部分から平面部４２の直下の空間に入り込んで流れる。このため、加圧オイルが排出孔５ａにより効率よく流れるようになる。
【００６６】
また、上記実施形態に限らず、次のようなオイルジェット装置とすることもできる。
【００６７】
図６は、本発明の第４の変形例に係るオイルジェット装置の一部断面構成図である。なお、図１に示すオイルジェット装置と同一部分には同一符号を付し重複する説明を省略する。
【００６８】
第４変形例に係るオイルジェット装置１は、図１に示すオイルジェット装置１において、ばね８及び台座部９に変えて、ばね５１及び台座部５２を設けるようにしたものである。
【００６９】
台座部５２は、開放孔５２ｂが設けられた軸Ｘに沿って伸びる略円筒状の壁部５２ａを有している。壁部５２ａの外側面は、プランジャ７の内側面に沿う形状となっている。したがって、プランジャ７は、壁部５２ａに沿って軸Ｘ方向に移動可能となっている。また、プランジャ７の内側の空間は供給孔４ａと連通しないようになっており、加圧オイルが流入しないようになっている。プランジャ７の内側の空間は、開放孔５２ｂによって外部へ開放されている。
【００７０】
台座部５２の上方には、プランジャ７を図面上方の供給孔４ａを塞ぐように付勢するばね５１が接続されている。ここで、本実施形態では、弁胴２の下方端には、台座部５２をはめ込むための段差が形成されたはめ込み部６が備えられている。そして、弁胴２にプランジャ７を収容する際には、台座部５２にばね５１を支持させ、そのばね５１をプランジャ７の下方側から挿入した後に、弁胴２の空間Ｃに対して図面下方からこれらを押し込めて、台座部５２が弁胴２のはめ込み部６にはめ込まれるようにし、その後、弁胴２の周囲をかしめて、台座部５２を弁胴２に固定するようにしている。
【００７１】
このような構成により、加圧オイル供給源からの加圧オイルが所定の圧力以下であれば、プランジャ７は、ばね５１による付勢により供給孔４ａを塞ぐ位置（閉弁位置）に位置し、加圧オイルが所定の圧力を超えれば、ばね５１による付勢が加圧オイルの圧力に屈することとなり、プランジャ７は、図面下方の位置（開弁位置）に移動することとなる。この際、プランジャ７と台座部５２との間の空間は、外部に連通しているので、加圧オイルの圧力の変化に対するプランジャ７の移動の応答性が良い。
【００７２】
また、上記実施形態では、オイルジェット装置を、弁胴２内部に、弁胴２の供給孔４ａと反対側の開口からプランジャ７を挿入し、台座部９を装着する構成としていたが、本発明はこれに限られず、台座部９を側壁３と一体的に構成し、側壁３の供給孔４ａとなる側に開口を形成しておき、当該開口からプランジャ７等を挿入し、その後、開口に供給孔部４を装着するようにしてもよい。
【００７３】
また、上記実施形態では、所定の方向に伸びる略円筒状の空間が形成された弁胴を有するオイルジェット装置を例に挙げて説明していたが、弁胴により形成される空間は略円筒状に限られず、上記したようなプランジャを収容可能な空間が形成された弁胴であれば、どのような形状であってもよい。
【００７４】
また、上記実施形態では、他のボルトによりエンジンブロックに装着されるオイルジェット装置を例に挙げて説明したが、本発明はこれに限られず、弁胴自体をボルト形状にしたオイルジェット装置にも本発明を適用することができる。
【図面の簡単な説明】
【００７５】
【図１】本発明の一実施形態に係るオイルジェット装置の一部断面構成図である。
【図２】本発明の一実施形態に係るオイルジェット装置におけるプランジャの組み込み状態及び排出孔の状態を示す図である。
【図３】本発明の第１の変形例に係るプランジャをオイルジェット装置に組み込んだ際の一部分の下面図である。
【図４】本発明の第２の変形例に係るプランジャをオイルジェット装置に組み込んだ際の一部分の下面図である。
【図５】本発明の第３の変形例に係るプランジャを説明する図である。
【図６】本発明の第４の変形例に係るオイルジェット装置の一部断面構成図である。
【符号の説明】
【００７６】
１  オイルジェット装置、２  弁胴、３  側壁、３ａ  内側面、４  供給孔部、４ａ  供給孔、５  排出孔部、５ａ  排出孔、６  はめ込み部、７  プランジャ、７ａ  円弧部分、７ｂ  弦部分、８  ばね、９  台座部、９ａ  凸部、１０  ノズル、１１  取付部、１１ａ  取付孔、１２  流路。
【図１】
0004570664.tif 000002
【図２】
0004570664.tif 000003
【図３】
0004570664.tif 000004
【図４】
0004570664.tif 000005
【図５】
0004570664.tif 000006
【図６】
0004570664.tif 000007